(57)【要約】【課題】  構成部品の点数を減らすとともに、組み付け作業工数を減らし、かつシールド性能を高めることができるシールドコネクタを提供すること。【解決手段】    シールドケーブル２を挿入可能な開口部３３と、この開口部３３に隣接して設けられるケーブルバレル３２とが設けられるシールドシェル３と、円管状に形成されるリング部４１と、このリング部４１の一端からフランジ状に突設される蓋部４２を備えるスリーブ４とを備え、シールドケーブル２の端末部を開口部３３に挿通し、挿通したシールドケーブル２の端末部にスリーブ４のリング部４１を装着し、その後シールドシェル３をスライドさせて、スリーブ４の蓋部４２をシールドシェル３の開口部３３に係合させた状態でスリーブ４のリング部４１をシールドシェル３の開口部３３に挿通し、挿通したスリーブ４のリング部４１を、ケーブルバレル３２により圧着されて組み付けられる。【選択図】  図１
2005209349.tif 000002
【特許請求の範囲】
【請求項１】
信号を伝送する信号線を導電性の編組と絶縁性の外被により被覆してなるシールドケーブルの端末部に装着されるシールドコネクタであって、前記シールドケーブルを挿入可能な開口部に臨設してケーブルバレルが設けられるシールドシェルと、円管状に形成されるリング部の一端からフランジ状に蓋部が突設されるスリーブとを備え、前記シールドケーブルの端末部を、前記シールドシェルの開口部に挿通し、挿通したシールドケーブルの端末部に前記スリーブのリング部を装着し、該スリーブのリング部を前記シールドシェルの開口部に挿通して該スリーブの蓋部を前記シールドシェルの開口部に係合させ、挿通した該スリーブのリング部を前記シールドシェルのケーブルバレルにより圧着して組み付けられることを特徴とするシールドコネクタ。
【請求項２】
前記スリーブのリング部を前記シールドケーブルの端末部の外周面上に装着し、該スリーブのリング部の外周面上に前記シールドケーブルの編組を反転させ、反転させた編組の外周面から前記シールドシェルのケーブルバレルを圧着することを特徴とする請求項１に記載のシールドコネクタ。
【請求項３】
前記スリーブのリング部を前記シールドケーブルの編組の内側に挿入し、該編組の外周面から前記シールドシェルのケーブルバレルを圧着することを特徴とする請求項１に記載のシールドコネクタ。
【発明の詳細な説明】
【技術分野】
【０００１】
本発明は、シールドケーブルの端部に装着して、シールドケーブル同士、あるいは電子機器等と接続するために用いられるシールドコネクタに関し、さらに詳しくは、組み付け操作が容易、あるいはシールドケーブルとの装着部分の電磁的遮蔽性を高めたシールドコネクタに関する。
【背景技術】
【０００２】
近年、自動車用の信号伝送システムの高速ＬＡＮ化が進み、伝送する信号が高周波化してきている。高周波信号の伝送において良好な伝送特性を得るには、ケーブルやコネクタなどの物理層のインピーダンスマッチング、クロストークの軽減、あるいはＥＭＩ対策などが重要となる。そして伝送する信号の周波数が高まるにつれてその重要度も高くなってくる。
【０００３】
車載システム用のシールドコネクタは、一般的に、内導体端子をシールドシェルで覆う構成を有している。しかし、このシールドシェルには、内導体端子とシールドケーブルの信号線との接続作業などのため、治具を挿入する開口部が形成されるものが多く見受けられる。ＥＭＩ特性は、この開口部からのノイズの漏れが大きく影響すると考えられることから、この開口部からのノイズの放射を抑制することが課題となっている。
【０００４】
このため例えば、シールドシェルに形成される開口部から保持ブロックを挿入して、シールドケーブルの信号線を内導体端子に圧着させた後、この開口部にシールドカバーを装着するという構成が提案されている（特許文献１参照）。このような構成によれば、開口部に装着されるシールドカバーによって、放射ノイズを抑制することができる。
【０００５】
一方、シールドケーブルとシールドコネクタとの接続の信頼性を高めるための構成としては、シールドケーブルの編組をスリーブ上に反転させ、反転させた編組を、シールドシェルに設けられたシールドバレルでかしめるという構成が用いられている。この構成によれば、編組をスリーブとケーブルバレルの間に挟圧保持する形態となるから、単に編組をかしめる構成に比較して、接続の信頼性を高めることができる。
【０００６】
【特許文献１】特開平１１−２２４７２３号公報
【発明の開示】
【発明が解決しようとする課題】
【０００７】
しかし、電磁的遮蔽の効果の向上及び、装着の信頼性の向上を図ろうとすると、シールドカバーやスリーブを装着する必要があり、部品点数が多くなると共に、組立工数が増加し、製造コストの上昇を招く。また、従来の構造では、シールドシェルとシールドカバーとの間に隙間が生じ、充分な電磁的遮蔽の効果が得られないという問題点もあった。
【０００８】
上記実情に鑑み、本発明が解決しようとする課題は、構成する部品点数を削減できること、又は組み付け作業を簡単にできること、あるいは充分な電磁的遮蔽の効果を有するシールドコネクタを提供することである。
【課題を解決するための手段】
【０００９】
前記課題を解決するため、本発明は、信号を伝送する信号線を導電性の編組と絶縁性の外被により被覆してなるシールドケーブルの端末部に装着されるシールドコネクタであって、前記シールドケーブルを挿入可能な開口部に臨設してケーブルバレルが設けられるシールドシェルと、円管状に形成されるリング部の一端からフランジ状に蓋部が突設されるスリーブとを備え、前記シールドケーブルの端末部を、前記シールドシェルの開口部に挿通し、挿通したシールドケーブルの端末部に前記スリーブのリング部を装着し、該スリーブのリング部を前記シールドシェルの開口部に挿通して該スリーブの蓋部を前記シールドシェルの開口部に係合させ、挿通した該スリーブのリング部を前記シールドシェルのケーブルバレルにより圧着して組み付けられることを要旨とするものである。
【００１０】
ここで、前記スリーブのリング部を前記シールドケーブルの端末部の外周面上に装着し、該スリーブのリング部の外周面上に前記シールドケーブルの編組を反転させ、反転させた編組の外周面から前記シールドシェルのケーブルバレルを圧着するものであることが望ましい。
【００１１】
また、前記スリーブのリング部を前記シールドケーブルの編組の内側に挿入し、該編組の外周面から前記シールドシェルのケーブルバレルを圧着するものであっても良い。
【発明の効果】
【００１２】
本発明によれば、シールドケーブルの信号線を内導体端子に接続する作業は、内導体端子を収容した誘電体ハウジングをシールドシェルに収容する作業の前に行うことができる。従って、シールドシェルには、信号線を内導体端子に接続する治具等を挿入するための開口部を形成する必要がない。このため、シールドシェルを小型化して、シールドコネクタそのものを小型化することができる。
【００１３】
また、スリーブのリング部が、シールドシェルの開口部に係合して、このシールドシェルに設けられるシールドケーブルを挿入するための開口部を、隙間なく塞ぐことができる。このため、シールドケーブルとシールドコネクタの接続部分からの放射ノイズを抑制することができる。
【００１４】
さらに、本発明に係るスリーブの蓋部が、従来一般のシールドカバーとしての機能をも具備することになる。このため、従来の構成では、スリーブとシールドカバーは別部品であり、それぞれ別途に装着する必要があったが、本発明に係るシールドコネクタでは、単一の部材となることからシールドコネクタを構成する部材の数を減らすことができ、かつ、組み付け操作の工数を減らすことができる。
【発明を実施するための最良の形態】
【００１５】
以下に、本発明の実施の形態について、図面を参照して詳細に説明する。図１は、本実施の形態に係るシールドコネクタの分解斜視図である。以下においては、雌側のシールドコネクタに適用される形態を用いて説明する。また、本実施の形態に係るシールドコネクタのことを、「本コネクタ」と略して記すことがある。
【００１６】
本コネクタ１が装着されるシールドケーブル２は、導体を絶縁内皮で被覆して構成した２本の信号線２１を有する。そしてこの信号線２１を、編組２２及び絶縁性の外被２３により同軸状に覆う構造を備える。これにより信号線２１が電磁気的にシールドされ、ノイズが外部へ放射するのを防止する。なお、シールドケーブル２の端末部は、本コネクタ１を装着するため、信号線２１を編組２２から所定の長さだけ突出させると共に、編組２２を外被２３から所定の長さだけ露出させておく。
【００１７】
本コネクタ１は、シールドケーブル２の編組２２に装着するシールドシェル３と、シールドケーブル２の絶縁外被２３上に装着されるスリーブ４を備える。シールドシェル３の内部には、信号線２１の端末に接続する内導体端子５と、内導体端子５を収容して保持する誘電体ハウジング６が配設される。これにより、内導体端子５、誘電体ハウジング６及びシールドケーブル２の端末部がシールドシェル３及びスリーブ４によりシールドされる構造となる。
【００１８】
シールドシェル３は、内導体端子５や誘電体ハウジング６などをシールドするための部材であり、金属製の板状部材を折り曲げて前後端が開口した角筒状に形成される部分を有する（以下、角筒状に形成される部分を、「角筒部３１」と称す。）。角筒部３１の一端には、シールドケーブル２の編組２２を挟圧保持するケーブルバレル３２が設けられる（以下、ケーブルバレル３２が設けられる側をシールドシェル３の後端側と称す。）。なお、角筒部３１の後端側は、端面から軸心に向かって立壁状のシールド片３４が突設され、開口部３３は、後述するスリーブ４のリング部４１が挿通可能な形状寸法に形成される。
【００１９】
スリーブ４は、シールドケーブル２との接続の信頼性を向上させるリング部４１と、シールドシェル３の開口部３３を覆って放射ノイズを抑制するシールド部４２とを有する。このスリーブ４は導電性の材料からなり、切削あるいは曲げ加工などにより形成される。リング部４１は、前後端が開口したリング状の部位であり、シールドケーブル２の露出させた編組２２あるいは外被２３を挿通可能な内径に形成される。シールド部４２は、リング部４１の一端から半径方向外側に向かって突設される板状の部位であり、シールドシェル３の角筒部３１には挿通可能であるが、開口部３３には挿通不可能な寸法形状に形成される。
【００２０】
内導体端子５及び誘電体ハウジング６は、従来一般のものと略同一の構成を有するものである。その構造を簡単に説明すると、内導体端子５は、接続相手側の雄側の内導体端子（図示せず）を挿入する嵌合部５１と、信号線２１を接続する信号線接続部５２とを備える。この内導体端子５は金属製板状部材を折り曲げて一体的に形成されるものであり、嵌合部５１は略筒状に形成され、信号線接続部２１は、一側が開放した略「コ」の字状の断面形状に形成される。
【００２１】
誘電体ハウジング６は、内導体端子５とシールドシェル３との間の絶縁を保つためのものであり、所定の誘電率を有する合成樹脂等から一体的に形成される。誘電体ハウジング６の内部には、内導体端子収容室６１が形成される。内導体端子収容室６１は、貫通孔状に形成される部位と、一側が開放した溝状に形成される部位とからなる。そして貫通孔状に形成される部位には、内導体端子５の嵌合部５１が収容され、溝状に形成される部位には、信号線接続部５２が収容される。
【００２２】
このような構成を有する本コネクタ１の組み付け操作は、以下の通りである。図２は、本コネクタ１の組み付け操作の工程を、模式的に示した斜視図である。
【００２３】
まず図２（ａ）に示すように、シールドケーブル２の端末部をシールドシェル３の開口部３３から挿通する。そしてスリーブ４をシールドケーブル２の端末部に装着し、装着したスリーブ４のリング部４１の外面上に編組２２を矢印ｂに示すように反転させる。一方、内導体端子５を、誘電体ハウジング６の内導体端子収容室６１に収容する。
【００２４】
次いで図２（ｂ）に示すように、シールドケーブル２の端末から突出する信号線２１を、内導体端子５の信号線接続部５２に圧接等し、信号線２１と内導体端子５とを接続する。
【００２５】
そして図２（ｃ）に示すように、シールドケーブル２上のシールドシェル３を、矢印ａの向きにスライドさせて、誘電体ハウジング６をシールドシェル３内に収容する。この際、スリーブ４のリング部４１が、シールドシェル３の開口部３３から突出し、ケーブルバレル３２上に位置することになる。その後、図２（ｄ）に示すように、ケーブルバレル３２をかしめて、スリーブ４のリング部４１の外周面上に、反転させた編組２２を圧着し固定する。
【００２６】
ここで、スリーブ４のシールド部４２が、シールドシェル３のシールド片３４に重畳して係合することから、開口部３３を隙間無く覆うことができる。このため、放射ノイズを抑制することができる。
【００２７】
図３は、本実施の形態に係るシールドコネクタの他の実施例を示した分解斜視図である。また、図４は、その組み付け操作を模式的に示した外観斜視図である。この他の実施例におけるシールドコネクタ１’は、スリーブ４’をシールドケーブル２の編組２２と信号線２１の間に挿入して用いるものである。このため、スリーブ４’のリング部４１’は、編組２２の内側に挿入可能な径に形成されるが、これ以外はスリーブ４’の端部にシールド部４２’が形成される構成を含め、前記シールドコネクタ１と略同一の構成を有する。
【００２８】
図４は、他の実施例のシールドコネクタ１’の組み付け操作を示した斜視図である。組み付け操作も、スリーブ４をシールドケーブル２の端部に装着して、リング部４１の外周面上に編組２２を反転させるという工程が、他の実施例では、スリーブ４’のリング部４１’を編組２２の内側に挿入する工程となったのみで、他の工程は同一である。
【００２９】
以上、本発明の実施の形態について図面を参照して詳細に説明したが、本発明は前記実施の形態に何ら限定されるものではなく、本発明の趣旨を逸脱しない範囲で種々の改変が可能であることはいうまでもない。
【００３０】
例えば、前記実施の形態では、２個の内導体端子を備える雌側のシールドコネクタに適用される構成を示したが、雌側であるか雄側であるかを問わず適用可能である。また、内導体端子の種類や数は適用するシールドケーブルの構成に応じて適宜変更することができる。
【図面の簡単な説明】
【００３１】
【図１】本実施の形態に係るシールドコネクタの分解状態を示した分解斜視図である。
【図２】本実施の形態に係るシールドコネクタの組み付け操作を模式的に示した外観斜視図である。ここで、（ａ）は信号線と内導体端子に接続する前の状態を、（ｂ）はその後の状態を、（ｃ）は誘電体ハウジングをシールドシェルに収容した状態を、（ｄ）はケーブルバレルで編組を圧着した状態を示す。
【図３】他の実施例のシールドコネクタの分解状態を示した分解斜視図である。
【図４】他の実施例のシールドコネクタの組み付け操作を模式的に示した外観斜視図である。ここで、（ａ）は信号線と内導体端子に接続する前の状態を、（ｂ）はその後の状態を、（ｃ）は誘電体ハウジングをシールドシェルに収容した状態を、（ｄ）はケーブルバレルで編組を圧着した状態を示す。
【符号の説明】
【００３２】
１  シールドコネクタ
２  シールドケーブル
３  シールドシェル
４  スリーブ
５  内導体端子
６  誘電体ハウジング
２１  シールドケーブルの信号線
２２  シールドケーブルの編組
２３  シールドケーブルの外被
３２  ケーブルバレル
３３  シールドシェルの開口部
４１  スリーブのリング部
４２  スリーブのシールド部
【図１】
2005209349.tif 000003
【図２】
2005209349.tif 000004
【図３】
2005209349.tif 000005
【図４】
2005209349.tif 000006